(57)【要約】【課題】光ディスクへの記録を高密度・高速に行う場合、短いピット長（短いマーク長）のピットの記録において、ピットのマークエッジ部付近が正常に形成されないという問題がある。【解決手段】レーザ光の駆動量と別途準備した補正量とを演算して新たなレーザ光の駆動量とする演算部１１０を具備する。この演算部１１０は、補正量を記憶する複数の記憶素子と、所定選択信号により該複数の記憶素子から１つを選択するセレクタと、該セレクタが出力する補正量と入力レーザ光駆動量とを加算して新たなレーザ光駆動量として出力する加算器と、で構成する。【選択図】　　　図１
2004062919.tif 000002
【特許請求の範囲】
【請求項１】
トラック溝上に形成されたピットの有無によりデータを記録する光ディスクに、記録データに基づいて、ピットを形成する強度の第１のレーザ光を、あるいはピットを形成しない強度もしくはピットを消去する強度の第２のレーザ光とを照射することにより、該記録データを上記光ディスクに記録する光ディスク装置における光ディスク記録パワー制御装置において、
補正量を用いてレーザ光の駆動量に対する補正演算を行う補正演算部を備えたことを特徴とする光ディスク記録パワー制御装置。
【請求項２】
請求項１に記載の光ディスク記録パワー制御装置において、上記補正演算部にて演算されるレーザ光駆動量は、前記第１、かつ／または、第２のレーザ光の駆動量である、
ことを特徴とする光ディスク記録パワー制御装置。
【請求項３】
請求項１または２に記載の光ディスク記録パワー制御装置において、
前記補正演算部は、
前記補正量を記憶する複数の記憶素子と、
前記複数の記憶素子の中から１つを選択するセレクタと、
該セレクタが出力する補正量と入力レーザ光駆動量とを加算してその加算結果をレーザ光駆動量として出力する加算器とを有する、
ことを特徴とする光ディスク記録パワー制御装置。
【請求項４】
請求項３の記載の光ディスク記録パワー制御装置において、
前記複数の記憶素子は、上記各ピット長毎に補正量を格納し、
前記セレクタは、現在記録中のピットのピット長に基づいて前記複数の記憶素子を選択する、
ことを特徴とする光ディスク記録パワー制御装置。
【請求項５】
請求項１または２に記載の光ディスク記録パワー制御装置において、
前記補正演算部は、
前記レーザ光駆動量を補正するための第１の補正量を記憶した第１の複数の記憶素子と、
前記第１の補正量を選択するための第１の選択信号により前記第１の複数の記憶素子の中から１つを選択する第１のセレクタと、
前記レーザ光駆動量を補正するための第２の補正量を記憶した第２の複数の記憶素子と、
前記第２の補正量を選択するための第２の選択信号により前記複数の記憶素子の中から１つを選択する第２のセレクタと、
前記第１、第２のセレクタが出力する各第１、第２の補正量と、入力レーザ光駆動量とを加算してレーザ光駆動量を補正する加算器とを有する、
ことを特徴とする光ディスク記録パワー制御装置。
【請求項６】
請求項５に記載の光ディスク記録パワー制御装置において、
前記第１の複数の記憶素子は各ピット長毎の補正量を格納し、
前記第１のセレクタは現在記録中のピットのピット長に基づいて、前記第１の複数の記憶素子の出力を選択し、
前記第２の複数の記憶素子は各スペース長毎の補正量を格納し、
前記第２のセレクタは現在記録中のピットの前のスペース長に基づいて、前記第２の複数の記憶素子の出力を選択する、
ことを特徴とする光ディスク記録パワー制御装置。
【請求項７】
請求項５に記載の光ディスク記録パワー制御装置において、
前記第１の複数の記憶素子は各ピットのピット長毎の補正量を格納し、
前記第１のセレクタは現在記録中のピットのピット長に基づいて、前記第１の複数の記憶素子の出力を選択し、
前記第２の複数の記憶素子は各スペース長毎の補正量を格納し、
前記第２のセレクタは現在記録中のピットの後のスペース長に基づいて、前記第２の複数の記憶素子の出力を選択する、
ことを特徴とする光ディスク記録パワー制御装置。
【請求項８】
請求項５に記載の光ディスク記録パワー制御装置において、
前記第１の複数の記憶素子は、各ピットのピット長毎の補正量を格納し、
前記第１のセレクタは、現在記録中のピットのピット長に基づいて、前記選択信号として使用し、
前記第２の複数の記憶素子は、第１群および第２群の複数の記憶素子からなり、
該第１群および第２群の複数の記憶素子はそれぞれ各スペース長毎の補正量を格納し、
前記第２のセレクタは、前記第１群の記憶素子用セレクタおよび第２群の記憶素子用セレクタからなり、
該第１群の記憶素子用のセレクタは現在記録中のピットの前のスペース長に基づいて、前記第１群の記憶素子の出力を選択し、
該第２群の記憶素子用のセレクタは現在記録中のピットの後のスペース長に基づいて、前記第２群の記憶素子の出力を選択し、
前記加算器は、前記第１のセレクタが出力する第１の補正量と、前記第１群の記憶素子用セレクタ、および第２群の記憶素子用セレクタが出力する２つの第２の補正量と、入力レーザ光駆動量とを加算して、補正後のレーザ光駆動量を出力する、
ことを特徴とする光ディスク記録パワー制御装置。
【請求項９】
請求項１ないし８のいずれかに記載の光ディスク記録パワー制御装置において、
該演算部の出力値を初期値として計数し、該計数値を新たなレーザ光駆動量として出力する計数器をさらに備えた、
ことを特徴とする光ディスク記録パワー制御装置。
【請求項１０】
請求項９に記載の光ディスク記録パワー制御装置において、
前記計数器は、ピット記録期間の開始時刻をその初期値設定時期およびカウント動作開始時期とする、
ことを特徴とする光ディスク記録パワー制御装置。
【請求項１１】
請求項９または１０に記載の光ディスク記録パワー制御装置において、
前記計数器は、記録単位（１Ｔ）ピット期間を１周期とするクロックにて所定数だけカウントダウンする、
ことを特徴とする光ディスク記録パワー制御装置。
【請求項１２】
請求項９ないし１１のいずれかに記載の光ディスク記録パワー制御装置において、
前記計数器は、現在のピット記録期間中に、カウントされた計数器の値が、入力されるレーザ光駆動量と一致した時点で、カウント動作を中止する、
ことを特徴とする光ディスク記録パワー制御装置。
【請求項１３】
請求項９ないし１２のいずれかに記載の記録パワー制御装置において、
前記計数器がカウントを行うためのパルス信号を生成出力する第２の計数器を備えた、
ことを特徴とする光ディスク記録パワー制御装置。
【請求項１４】
請求項１３に記載の記録パワー制御装置において、
前記第２の計数器は、ピット記録期間の開始時刻に、その初期値の設定が行われる、
ことを特徴とする光ディスク記録パワー制御装置。
【請求項１５】
請求項１３または１４に記載の光ディスク記録パワー制御装置において、
前記第２の計数器は、所定クロックにてカウントダウンを行う、
ことを特徴とする光ディスク記録パワー制御装置。
【請求項１６】
請求項１５に記載の光ディスク記録パワー制御装置において、
前記第２の計数器は、カウント値がゼロのとき、前記第１の計数器がカウントを行うためのパルスを発生する、
ことを特徴とする光ディスク記録パワー制御装置。
【請求項１７】
請求項１３ないし１６のいずれかに記載の光ディスク記録パワー制御装置において、
前記第２の計数器への初期値を保持可能な記憶素子を備えた、
ことを特徴とする光ディスク記録パワー制御装置。
【請求項１８】
請求項１ないし１７のいずれかに記載の光ディスク記録パワー制御装置において、
前記記憶素子への各補正量、かつ／または、前記第２の計数器への初期値設定値、を外部から書き換え／読み出し可能なインタフェース部を備えた、
ことを特徴とする光ディスク記録パワー制御装置。
【請求項１９】
トラック溝上に形成されたピットの有無によりデータを記録する光ディスクに、記録データに基づいて、ピットを形成する強度の第１のレーザ光と、ピットを形成しない強度もしくはピットを消去する強度の第２のレーザ光とを照射することにより、該記録データを上記光ディスクに記録する光ディスク装置における光ディスク記録パワー制御方法であって、
前記第１のレーザ光を照射する際に、補正量を用いてレーザ光の駆動量に対する補正演算を行う、
ことを特徴とする光ディスク記録パワー制御方法。
【請求項２０】
請求項１９記載の光ディスク記録パワー制御方法において、
前記補正演算工程は、ピット長の短いピットに対しレーザ光の駆動量を増すように補正を行う、
ことを特徴とする光ディスク記録パワー制御方法。
【請求項２１】
トラック溝上に形成されたピットの有無によりデータを記録する光ディスクに、記録データに基づいて、ピットを形成する強度の第１のレーザ光と、ピットを形成しない強度もしくはピットを消去する強度の第２のレーザ光とを照射することにより、該記録データを上記光ディスクに記録する光ディスク装置における光ディスク記録パワー制御プログラム記録媒体であって、
コンピュータに、上記第１のレーザ光を照射する際に、ピット長の短いピットに対しレーザ光の駆動量を増すように、補正量を用いてレーザ光の駆動量に対する補正演算を行う補正演算工程を含む光ディスク記録パワー制御方法を実行させるためのプログラムを記録した、
ことを特徴とする光ディスク記録パワー制御プログラム記録媒体。
【発明の詳細な説明】
【０００１】
【発明の属する技術分野】
本発明は、光ディスク記録パワー制御装置，光ディスク記録パワー制御方法および光ディスク記録パワー制御プログラム記録媒体に関するものであり、特に、追記・書換え可能な光ディスクに対し、データ信号を記録する装置において、高密度・高速で安定してデータ信号を書き込むことが可能なように、記録パワーを制御するパワー制御装置の改良を図ったものに関する。
【０００２】
【従来の技術】
近年、画像等の大容量データを扱う機会が増加するに伴い、フロッピイディスク（登録商標）に収まりきらないデータのバックアップ等に光ディスクが使用されるケースが多くなっている。
ＣＤ−Ｒ（Ｃｏｍｐａｃｔ　Ｄｉｓｋ−Ｒｅｃｏｒｄａｂｌｅ）等、追記型光ディスクの規格を定義したオレンジブック規格に準拠した追記型光ディスクに対しデータ信号を記録する場合は、一般に、データ信号に誤り訂正のためのパリティが付加され、さらに、その信号をＥＦＭ（Ｅｉｇｈｔ　ｔｏ　Ｆｏｕｒｔｅｅｎ　Ｍｏｄｕｌａｔｉｏｎ）　方式により変調された信号が用いられる。
【０００３】
この変調された信号には、信号のハイレベル又はロウレベルの時間幅として、いわゆるライトクロックの周期に等しい所定の基準時間幅Ｔを３倍ないし１１倍して得られる９通りの時間幅３Ｔないし１１Ｔが与えられている。この信号に基づき、例えば信号がハイレベルである場合には、追記型光ディスクにパルス状のレーザ光を照射し、該追記型光ディスクの記録層にピット（マーク）を形成する。これにより、追記型光ディスクにデータ信号が記録される。なお、記録層のマーク期間以外の箇所は、一般にスペースと呼ぶ。
【０００４】
上記信号記録を行う場合には、追記型光ディスクの記録層にレーザ光を照射する前に、記録レーザパワー（光強度）の最適化（Ｏｐｔｉｍｕｍ　Ｐｏｗｅｒ　Ｃａｌｉｂｒａｔｉｏｎ；以下、「ＯＰＣ」と称す）を行う。
【０００５】
一般に、追記型光ディスクは、ＯＰＣを行うためのパワーキャリブレーションエリア（Ｐｏｗｅｒ　Ｃａｌｉｂｒａｔｉｏｎ　Ａｒｅａ；以下、「ＰＣＡ」と称す）を有している。ＰＣＡは、テストエリアおよびカウントエリアからなり、それぞれ１００のパーティションを有し、テストエリアの１パーティションは、１５フレームを有している。
【０００６】
ＯＰＣは、上記ＰＣＡに所定の信号を記録し、その記録信号を再生することにより行われる。例えば、１５フレーム間で１５段階のレーザパワー（光強度）を用いてピット形成を行い、その中で最も記録状態の良いレーザパワーを検出し、これを目標レーザパワーとして、データ信号の記録を行う方法が知られている。
【０００７】
実際の記録においては、レーザピックアップはレーザ出力パワーをモニタするための信号を外部に出力している。動的なレーザ制御（Ａｕｔｏｍａｔｉｃ　Ｐｏｗｅｒ　Ｃｏｎｔｒｏｌ；以下、「ＡＰＣ」と称す）では、このパワーモニタ信号が（前記ＯＰＣにて決定した）目標パワーに追従するように制御を行う。この制御は、レーザ自身の特性や環境温度などによる比較的ゆったりした変動に対し、これを抑えるための制御である。
【０００８】
また、追記型光ディスクの記録層にデータ信号を記録している状態では、ランニングＯＰＣ（以下、「ｒＯＰＣ」と称す）を行う。ｒＯＰＣは、上記ＯＰＣにより得られた目標レーザパワーを、データ信号記録状態中一定に保持するために、上記ＯＰＣ時とデータ信号記録時とのピットの反射光強度を比較し、その結果に基づいて、照射するレーザパワーを随時補正するものである。反射光強度を検出するために用いられるピットは、時間幅１１Ｔを有するものであり、ピット後端の反射光強度（Ｂレベル値）と、その直後のスペース期間の反射光強度（Ｘレベル値）との比率が、比較の対象となる。
【０００９】
図１２は、従来の記録パワー制御装置を説明するためのブロック図である。この構成は特開２０００−２２２７３０号公報などで類似した構成が知られている。これは、追記型光ディスクに照射した記録用レーザのモニタ信号によるＡＰＣ制御、レーザ光の反射光からｒＯＰＣ制御を行い、該レーザ光の照射強度を制御するものである。
【００１０】
この従来の記録パワー制御装置は、追記型光ディスクに記録用又は再生用レーザ光を照射し、このレーザ光の照射強度をモニタ出力するレーザピックアップ１０５と、記録パワー駆動量ＷＰＡと再生パワー駆動量ＲＰとを各々ディジタル−アナログ変換して前記レーザピックアップ１０５へ送出するＤＡＣ１０３、ＤＡＣ１０４と、記録系光ディスク１０７からの反射光をもとに反射光強度信号を生成・出力する受光部１０６と、記録系光ディスク１０７から反射光強度信号、及びパワーモニタ信号を各々所定のタイミングでサンプルホールドしてアナログ−ディジタル変換するＡＤ変換部１０１と、前記ｒＯＰＣ制御、ＡＰＣ制御を行うｒＯＰＣ／ＡＰＣ部１０２と、前記ＥＦＭ方式により変調されたＥＦＭ信号を観測して記録に必要なレーザＯＮ期間信号や各種サンプルホールド信号（以下、ＳＨ信号と称す）を生成する制御部１００と、から構成されるものである。なお、該制御部１００は、前記ＥＦＭ信号の観測において、現在記録中のマーク長情報、現在記録中のマークの前のスペースの長さ情報、現在記録中のマークの後のスペースの長さ情報などを管理している。
【００１１】
以下、上記記録パワー制御装置の動作について、図１２，図１３を用いて説明する。図１２において、制御部１００に入力されるライトイネーブル信号がアクティブな期間中の入力ＥＦＭ信号が記録対象となる。制御部１００は記録すべきＥＦＭ信号を観測して、マーク・スペース長情報を管理しながら、レーザＯＮ期間信号を生成する。なお、該レーザＯＮ期間信号が“Ｈ”の時が記録パワー照射期間（記録期間）を示し、“Ｌ”の時が再生パワー照射期間（再生期間）である。この信号に対応して、各種サンプルホールド信号を生成する。
【００１２】
ここに、リードモニタＳＨ信号はレーザＯＮ期間信号が“Ｌ”期間中のパワーモニタ信号をサンプルホールドするための信号、ライトモニタＳＨ信号はレーザＯＮ期間信号が“Ｈ”期間中のパワーモニタ信号をサンプルホールドするための信号、ＢレベルＳＨ信号はレーザＯＮ期間信号が“Ｈ”期間の後端部分における（受光部１０６からの）反射光強度信号をサンプルホールドするための信号、ＸレベルＳＨ信号はレーザＯＮ期間信号が“Ｌ”期間中の反射光強度信号をサンプルホールドするための信号である。
【００１３】
ＡＤ変換部１０１は、前記４種類のＳＨ信号を用いてパワーモニタ信号と反射光強度信号をサンプルホールドしてアナログ−ディジタル変換を行い、各ディジタル値をｒＯＰＣ／ＡＰＣ部１０２へ送出する。
【００１４】
図１３に従来の記録パワーの制御動作例を示す。制御部１００が入力ＥＦＭ信号を所定時間遅延させた内部ＥＦＭ信号を生成し、これを基準信号としてレーザＯＮ期間信号を生成する。なお、現マーク長情報は内部ＥＦＭ信号の各マーク開始時点からΔｔ１前で確定させる。また、レーザＯＮ期間信号は内部ＥＦＭ信号のマーク開始時点からΔｔ２後でアサートされ、内部ＥＦＭ信号のマーク終了時点からΔｔ３後でネゲートされる。ｒＯＰＣ／ＡＰＣ部１０２が最適ライトパワー値として生成出力したＷＰＡは、この例では１１Ｔマーク記録終了時点で値が「２８」から「３０」に切り替わっている。この例では、リードパワーＲＰは制御はされているが特に変化していない状況である。この時の時間軸とレーザパワーの関係を図１３（ｅ）に示している。レーザＯＮ期間信号が“Ｌ”（スペース）期間中はリードパワーＲＰ（第２のレーザ光）でレーザ出力し、レーザＯＮ期間信号が“Ｈ”（マーク記録）期間中はリードパワーＲＰに最適ライトパワー値ＷＰＡを加算したパワー（第１のレーザ光）でレーザ出力する。
【００１５】
このように、上記従来の記録パワー制御装置によれば、レーザピックアップ１０５から照射される記録用レーザ光の駆動量を、パワーモニタ情報と反射光強度を観測値として目標パワーに等しくなるように制御を行うので、記録系光ディスクでのデータ信号記録状態中に、半導体レーザダイオードの温度変化によるレーザ光強度の変化、光ディスクの形状変化、又は該ディスク記録層の記録感度変化などの要因が生じた場合でも、これらの変化に追従したレーザパワー制御を行うことができる。
【００１６】
【発明が解決しようとする課題】
しかしながら、上記従来の記録パワー制御装置を用いて光ディスクへの記録をより高密度にあるいはより高速に行おうとする場合、短いピット長（短いマーク長）のピットの記録において、ピットのマークエッジ部付近が正常に形成されないという問題がある。
【００１７】
本発明は、上記問題に鑑みてなされたものであり、記録系光ディスクへのデータ記録時に照射するマーク部分への記録用レーザパワーを更に細かく制御可能な構成にすることにより、高密度・高速記録を行う際にもピットの形成を高精度に行うことができる光ディスク記録パワー制御装置、光ディスク記録パワー制御方法および光ディスク記録パワー制御プログラム記録媒体を提供せんとするものである。
【００１８】
【課題を解決するための手段】
本発明の請求項１に係る光ディスク記録パワー制御装置は、トラック溝上に形成されたピットの有無によりデータを記録する光ディスクに、記録データに基づいて、ピットを形成する強度の第１のレーザ光を、あるいはピットを形成しない強度もしくはピットを消去する強度の第２のレーザ光とを照射することにより、該記録データを上記光ディスクに記録する光ディスク装置における光ディスク記録パワー制御装置において、補正量を用いてレーザ光の駆動量に対する補正演算を行う補正演算部を備えたことを特徴とするものである。
【００１９】
また、本発明の請求項２に係る光ディスク記録パワー制御装置は、請求項１に記載の光ディスク記録パワー制御装置において、上記補正演算部にて演算されるレーザ光駆動量は、前記第１、かつ／または、第２のレーザ光の駆動量である、ことを特徴とするものである。
【００２０】
また、本発明の請求項３に係る光ディスク記録パワー制御装置は、請求項１または２に記載の光ディスク記録パワー制御装置において、前記補正演算部は、前記補正量を記憶する複数の記憶素子と、前記複数の記憶素子の中から１つを選択するセレクタと、該セレクタが出力する補正量と入力レーザ光駆動量とを加算してその加算結果をレーザ光駆動量として出力する加算器とを有する、ことを特徴とするものである。
【００２１】
また、本発明の請求項４に係る光ディスク記録パワー制御装置は、請求項３の記載の光ディスク記録パワー制御装置において、前記複数の記憶素子は、上記各ピット長毎に補正量を格納し、前記セレクタは、現在記録中のピットのピット長に基づいて前記複数の記憶素子を選択する、ことを特徴とするものである。
【００２２】
また、本発明の請求項５に係る光ディスク記録パワー制御装置は、請求項１または２に記載の光ディスク記録パワー制御装置において、前記補正演算部は、前記レーザ光駆動量を補正するための第１の補正量を記憶した第１の複数の記憶素子と、前記第１の補正量を選択するための第１の選択信号により前記第１の複数の記憶素子の中から１つを選択する第１のセレクタと、前記レーザ光駆動量を補正するための第２の補正量を記憶した第２の複数の記憶素子と、前記第２の補正量を選択するための第２の選択信号により前記複数の記憶素子の中から１つを選択する第２のセレクタと、前記第１、第２のセレクタが出力する各第１、第２の補正量と、入力レーザ光駆動量とを加算してレーザ光駆動量を補正する加算器とを有する、ことを特徴とするものである。
【００２３】
また、本発明の請求項６に係る光ディスク記録パワー制御装置は、請求項５に記載の光ディスク記録パワー制御装置において、前記第１の複数の記憶素子は各ピット長毎の補正量を格納し、前記第１のセレクタは現在記録中のピットのピット長に基づいて、前記第１の複数の記憶素子の出力を選択し、前記第２の複数の記憶素子は各スペース長毎の補正量を格納し、前記第２のセレクタは現在記録中のピットの前のスペース長に基づいて、前記第２の複数の記憶素子の出力を選択する、ことを特徴とするものである。
【００２４】
また、本発明の請求項７に係る光ディスク記録パワー制御装置は、請求項５に記載の光ディスク記録パワー制御装置において、前記第１の複数の記憶素子は各ピットのピット長毎の補正量を格納し、前記第１のセレクタは現在記録中のピットのピット長に基づいて、前記第１の複数の記憶素子の出力を選択し、前記第２の複数の記憶素子は各スペース長毎の補正量を格納し、前記第２のセレクタは現在記録中のピットの後のスペース長に基づいて、前記第２の複数の記憶素子の出力を選択する、ことを特徴とするものである。
【００２５】
また、本発明の請求項８に係る光ディスク記録パワー制御装置は、請求項５に記載の光ディスク記録パワー制御装置において、前記第１の複数の記憶素子は、各ピットのピット長毎の補正量を格納し、前記第１のセレクタは、現在記録中のピットのピット長に基づいて、前記選択を行い、前記第２の複数の記憶素子は、第１群および第２群の複数の記憶素子からなり、該第１群および第２群の複数の記憶素子はそれぞれ各スペース長毎の補正量を格納し、前記第２のセレクタは、前記第１群の記憶素子用セレクタおよび第２群の記憶素子用セレクタからなり、該第１群の記憶素子用のセレクタは現在記録中のピットの前のスペース長に基づいて、前記第１群の記憶素子の出力を選択し、該第２群の記憶素子用のセレクタは現在記録中のピットの後のスペース長に基づいて、前記第２群の記憶素子の出力を選択し、前記加算器は、前記第１のセレクタが出力する第１の補正量と、前記第１群の記憶素子用セレクタ、および第２群の記憶素子用セレクタが出力する２つの第２の補正量と、入力レーザ光駆動量とを加算して、補正後のレーザ光駆動量を出力する、ことを特徴とするものである。
【００２６】
また、本発明の請求項９に係る光ディスク記録パワー制御装置は、請求項１ないし８のいずれかに記載の光ディスク記録パワー制御装置において、該演算部の出力値を初期値として計数し、該計数値を新たなレーザ光駆動量として出力する計数器をさらに備えた、ことを特徴とするものである。
【００２７】
また、本発明の請求項１０に係る光ディスク記録パワー制御装置は、請求項９に記載の光ディスク記録パワー制御装置において、前記計数器は、ピット記録期間の開始時刻をその初期値設定時期およびカウント動作開始時期とする、ことを特徴とするものである。
【００２８】
また、本発明の請求項１１に係る光ディスク記録パワー制御装置は、請求項９または１０に記載の光ディスク記録パワー制御装置において、前記計数器は、記録単位（１Ｔ）ピット期間を１周期とするクロックにて所定数だけカウントダウンする、ことを特徴とするものである。
【００２９】
また、本発明の請求項１２に係る光ディスク記録パワー制御装置は、請求項９ないし１１のいずれかに記載の光ディスク記録パワー制御装置において、前記計数器は、現在のピット記録期間中に、カウントされた計数器の値が、入力されるレーザ光駆動量と一致した時点で、カウント動作を中止する、ことを特徴とするものである。
【００３０】
また、本発明の請求項１３に係る光ディスク記録パワー制御装置は、請求項９ないし１２のいずれかに記載の記録パワー制御装置において、前記計数器がカウントを行うためのパルス信号を生成出力する第２の計数器を備えた、ことを特徴とするものである。
【００３１】
また、本発明の請求項１４に係る光ディスク記録パワー制御装置は、請求項１３に記載の記録パワー制御装置において、前記第２の計数器は、ピット記録期間の開始時刻に、その初期値の設定が行われる、ことを特徴とするものである。
【００３２】
また、本発明の請求項１５に係る光ディスク記録パワー制御装置は、請求項１３または１４に記載の光ディスク記録パワー制御装置において、前記第２の計数器は、所定クロックにてカウントダウンを行う、ことを特徴とするものである。
【００３３】
また、本発明の請求項１６に係る光ディスク記録パワー制御装置は、請求項１５に記載の光ディスク記録パワー制御装置において、前記第２の計数器は、カウント値がゼロのとき、前記第１の計数器がカウントを行うためのパルスを発生する、ことを特徴とするものである。
【００３４】
また、本発明の請求項１７に係る光ディスク記録パワー制御装置は、請求項１３ないし１６のいずれかに記載の光ディスク記録パワー制御装置において、前記第２の計数器への初期値を保持可能な記憶素子を備えた、ことを特徴とするものである。
【００３５】
また、本発明の請求項１８に係る光ディスク記録パワー制御装置は、請求項１ないし１７のいずれかに記載の光ディスク記録パワー制御装置において、前記記憶素子への各補正量、かつ／または、前記第２の計数器への初期値設定値、を外部から書き換え／読み出し可能なインタフェース部を備えた、ことを特徴とするものである。
【００３６】
また、本発明の請求項１９に係る光ディスク記録パワー制御方法は、トラック溝上に形成されたピットの有無によりデータを記録する光ディスクに、記録データに基づいて、ピットを形成する強度の第１のレーザ光と、ピットを形成しない強度もしくはピットを消去する強度の第２のレーザ光とを照射することにより、該記録データを上記光ディスクに記録する光ディスク装置における光ディスク記録パワー制御方法であって、前記第１のレーザ光を照射する際に、補正量を用いてレーザ光の駆動量に対する補正演算を行う、ことを特徴とするものである。
【００３７】
また、本発明の請求項２０に係る光ディスク記録パワー制御方法は、請求項１９記載の光ディスク記録パワー制御方法において、前記補正演算工程は、ピット長の短いピットに対しレーザ光の駆動量を増すように補正を行う、ことを特徴とするものである。
【００３８】
また、本発明の請求項２１に係る光ディスク記録パワー制御プログラム記録媒体は、トラック溝上に形成されたピットの有無によりデータを記録する光ディスクに、記録データに基づいて、ピットを形成する強度の第１のレーザ光と、ピットを形成しない強度もしくはピットを消去する強度の第２のレーザ光とを照射することにより、該記録データを上記光ディスクに記録する光ディスク装置における光ディスク記録パワー制御プログラム記録媒体であって、コンピュータに、上記第１のレーザ光を照射する際に、ピット長の短いピットに対しレーザ光の駆動量を増すように、補正量を用いてレーザ光の駆動量に対する補正演算を行う補正演算工程を含む光ディスク記録パワー制御方法を実行させるためのプログラムを記録した、ことを特徴とするものである。
【００３９】
【発明の実施の形態】
以下では、本発明の実施の形態を図を用いて説明する。
図１に示す本発明の光ディスク記録パワー制御装置は、図１２に示す従来例の光ディスク記録パワー制御装置におけるｒＯＰＣ／ＡＰＣ部１０２とＤＡＣ１０３との間に、新たに演算部１１０を追加することにより、マーク部分へのライト用レーザパワーを更に細かく制御可能とし、短いピット長（短いマーク長）のピット記録において、ピットのマークエッジ部分付近が正常に形成可能となり、ひいては高密度記録を高精度に行うことが可能となるように構成したものである。以下、実施の形態１ないし４において、該演算部１１０の構成を具体的に示す。
【００４０】
（実施の形態１）
図２は、本発明の実施の形態１の記録パワー制御装置の構成を示すブロック図であり、請求項１ないし４の発明に対応するものである。マイコンＩ／Ｆ１０９は図示しない外部ＣＰＵと本記録パワー制御装置とを仲介するものである。外部ＣＰＵは、マイコンＩ／Ｆ１０９を介して、記憶素子群２０１内部の９個（“３Ｔ”ないし“１１Ｔ”に対応）の記憶素子に所定の値を設定する。例えば、“３Ｔ”記憶素子には、記録すべきマーク長が３Ｔの時のパワー補正量が外部ＣＰＵから設定される。セレクタ１（２０２）は制御部１００が生成する現マーク長値を選択信号とし、記憶素子群２０１を構成する前記９個の記憶素子の中からいずれか１つを選択して補正量として加算器２０３へ転送する。現マーク長値は、現在記録中のマークの長さを示す信号である。加算器２０３は、ｒＯＰＣ／ＡＰＣ部１０２が出力する記録パワー値ＷＰＡに対し前記セレクタ１（２０２）が出力する補正量を加算して、最適記録パワー値ＷＰＢとしてＤＡＣ１０３へ渡す。
【００４１】
図３にその動作の一例を示す。内部ＥＦＭは制御部１００内部で生成するマーク記録の基準となる信号である。この例では、Δｔ２、Δｔ３はともに１Ｔ時間としており、基準となる内部ＥＦＭ信号に対し１Ｔ遅れとなる信号をレーザＯＮ期間信号としてレーザピックアップ１０５へ送出している。レーザピックアップ１０５は、該レーザＯＮ期間信号が“Ｈ”の期間は（ＤＡＣ１０３出力のパワー値ＷＰＢ）＋（再生パワー値ＲＰ）でレーザを駆動し、“Ｌ”の期間は（ＤＡＣ１０４出力のパワー値ＲＰ）でレーザを駆動する。この例では、ｒＯＰＣ／ＡＰＣ部１０２からの記録パワー値ＷＰＡは“３０”とし、再生パワー値ＲＰは変動していないものとする。現マーク長値は内部ＥＦＭのマーク開始エッジからΔｔ１手前でホールドされる。この例ではΔｔ１は２Ｔ時間としている。
【００４２】
ここに、記憶素子群２０１内の“３Ｔ”記憶素子には“７”が、“４Ｔ”記憶素子には“５”が、“５Ｔ”記憶素子には“３”が、“６Ｔ”記憶素子ないし“１１Ｔ”　記憶素子にはすべて“０”が、それぞれ記憶されているものとする。現マーク長値信号が、“３”、“５”、“７”であるとき、セレクタ１（２０２）は現マーク長値信号を選択信号として、各々補正量として“７”、“３”、“０”を出力する。最終的にＤＡＣ１０３へ入力されるパワー値ＷＰＢは、３Ｔマーク記録時はＷＰＡ＋７、５Ｔマーク記録時はＷＰＡ＋３、７Ｔマーク記録時はＷＰＡ（＝ＷＰＡ＋０）となる。よって、３Ｔマーク記録中はＲＰ＋ＷＰＡ＋７のパワーでレーザを駆動し、５Ｔマーク記録中はＲＰ＋ＷＰＡ＋３のパワーでレーザを駆動し、また７Ｔマーク記録中はＲＰ＋ＷＰＡのパワーでレーザを駆動する。
【００４３】
このように、ｒＯＰＣ／ＡＰＣ部によるパワーモニタ、及び時間幅１１Ｔを有するピットからの反射光量によるパワー制御状態において、リアルタイムでマーク長毎に記録パワーを細かく変化させることにより、特に、３Ｔないし５Ｔなどの比較的短いピットの形成時には、パワーを強化できるため、高密度，高速記録時にピットを確実に形成するうえで特に有効となる。
【００４４】
（実施の形態２）
図４は、本発明の実施の形態２の記録パワー制御装置の構成を示すブロック図であり、請求項５ないし８の発明に対応するものである。実施の形態１と同様、図示しない外部ＣＰＵは、マイコンＩ／Ｆを介して、記憶素子群２０１内部の９個（“３Ｔ”ないし“１１Ｔ”に対応）の記憶素子に所定の値を設定する。例えば、“３Ｔ”記憶素子には、記録すべきマーク長が３Ｔの時のパワー補正量が外部ＣＰＵから設定される。セレクタ１（２０２）は制御部１００が生成する現マーク長値を選択信号とし、前記記憶素子群２０１の９個の記憶素子からいずれか１つを選択して補正量Ｍとして加算器４０３へ転送する。現マーク長値は、現在記録中のマークの長さを示す信号である。
【００４５】
更に、外部ＣＰＵは、マイコンＩ／Ｆを介して、記憶素子群４０２内部の９個（“３Ｔ”ないし“１１Ｔ”に対応）の記憶素子に所定の値を設定する。例えば、“３Ｔ”記憶素子には、記録すべきマーク直前のスペース長が３Ｔの時のパワー補正量が外部ＣＰＵから設定される。セレクタ２（４０１）は制御部１００が生成する前スペース長値を選択信号とし、前記記憶素子群４０２の９個の記憶素子からいずれか１つを選択し、補正量Ｓとして加算器４０３へ転送する。前スペース長値は、現在記録中のマーク直前のスペースの長さを示す信号である。
【００４６】
加算器４０３は、ｒＯＰＣ／ＡＰＣ部１０２が出力する記録パワー値ＷＰＡと、前記セレクタ１（２０２）が出力する補正量Ｍと、前記セレクタ２（４０１）が出力する補正量Ｓとを加算して、最適記録パワー値ＷＰＢとしてＤＡＣ１０３へ渡す。
【００４７】
図５にその動作の一例を示す。内部ＥＦＭは制御部１００内部で生成するマーク記録の基準となる信号である。この例では、実施の形態１と同様、Δｔ２，Δｔ３はともに１Ｔ時間としており（図示せず）、基準となる内部ＥＦＭ信号に対し１Ｔ遅れとなる信号をレーザＯＮ期間信号としてレーザピックアップ１０５へ送出している。レーザピックアップ１０５は、該レーザＯＮ期間信号が“Ｈ”の期間は（ＤＡＣ１０３出力のパワー値ＷＰＢ）＋（再生パワー値ＲＰ）でレーザを駆動し、“Ｌ”の期間は（ＤＡＣ１０４出力のパワー値ＲＰ）でレーザを駆動する。この例では、ｒＯＰＣ／ＡＰＣ部１０２からの記録パワー値ＷＰＡは“３０”とし、再生パワー値ＲＰは変動していないものとする。また、実施の形態１と同様、現マーク長値、前スペース長値は内部ＥＦＭのマーク開始エッジからΔｔ１手前（図示せず）でホールドされる。この例ではΔｔ１は２Ｔ時間としている。
【００４８】
ここに、記憶素子群２０１内の“３Ｔ”記憶素子には“４”が、“４Ｔ”記憶素子には“３”が、“５Ｔ”記憶素子には“２”が、“６Ｔ”記憶素子ないし“１１Ｔ”記憶素子にはすべて“０”が、それぞれ記憶されているものとする。また、記憶素子群４０２内の“３Ｔ”記憶素子には“−２”が、“４Ｔ”記憶素子には“−１”が、“５Ｔ”記憶素子ないし“８Ｔ”記憶素子にはすべて“０”が、“９Ｔ”記憶素子には“１”が、“１０Ｔ”記憶素子には“２”が、“１１Ｔ”記憶素子には“３”が、それぞれ記憶されているものとする。
【００４９】
５Ｔマーク記録時は、直前のスペース長が４Ｔであるので、補正量Ｍは“２”が、補正量Ｓは“−１”が選択され、最終的にＤＡＣ１０３へ入力されるパワー値ＷＰＢは、ＷＰＡ＋１（＝ＷＰＡ＋２−１）となる。３Ｔマーク記録時は、直前のスペース長が１１Ｔであるので、補正量Ｍは“４”、補正量Ｓは“３”が選択され、最終的にＤＡＣ１０３へ入力されるパワー値ＷＰＢは、ＷＰＡ＋７（＝ＷＰＡ＋４＋３）となる。
よって、５Ｔマーク記録中は、ＲＰ＋ＷＰＡ＋１のパワーでレーザを駆動し、３Ｔマーク記録中は、ＲＰ＋ＷＰＡ＋７のパワーでレーザを駆動する。
【００５０】
このように、ｒＯＰＣ／ＡＰＣ部によるパワーモニタ、及び時間幅１１Ｔを有するピットからの反射光量によるパワー制御状態において、リアルタイムで現マーク長と直前のスペース長の組み合わせ毎に記録パワーを細かく変化させることにより、特に、３Ｔないし５Ｔなどの比較的短いピットの形成時には、パワーを強化できるため、高密度・高速記録時にピットを確実に形成するうえで特に有効となる。
【００５１】
なお、図６に示すように、図４のセレクタ４０１に制御信号として入力される前スペース長信号に代えて現在記録中のマークの後のスペース長を示す次スペース長信号を用いてもよく、図４の装置と同様の効果が得られる。
【００５２】
さらに、図７に示すように、図４のセレクタ４０１および記憶素子４０２を２つずつ設け、セレクタ４０１ａには前スペース長信号を入力し、セレクタ４０１ｂには次スペース長信号を入力して、記憶素子群４０２ａ，４０２ｂ（第１群の記憶素子，第２群の記憶素子）の出力をそれぞれセレクタ４０１ａ，４０１ｂにより選択し、加算器４０３により、ｒＯＰＣ／ＡＰＣ部１０２の出力に、セレクタ２０１からの補正量Ｍとこれら２つのセレクタ４０１ａ，４０１ｂからの補正量Ｓ１，Ｓ２とを加えることで現在のマークの最終パワーを計算するようにしてもよく、より高精度にパワー制御を行うことが可能である。
【００５３】
（実施の形態３）
図８は、本発明の実施の形態３の記録パワー制御装置の構成を示すブロック図であり、請求項９ないし１２の発明に対応するものである。マイコンＩ／Ｆ１０９は図示しない外部ＣＰＵと本記録パワー制御装置とを仲介するものである。外部ＣＰＵは、マイコンＩ／Ｆ１０９を介して、記憶素子群２０１内部の９個（“３Ｔ”ないし“１１Ｔ”）の記憶素子に所定の値を設定する。例えば、“３Ｔ”記憶素子には、記録すべきマーク長が３Ｔの時のパワー補正量が外部ＣＰＵから設定される。セレクタ１（２０２）は制御部１００が生成する現マーク長値を選択信号とし、前記記憶素子群２０１の９個の記憶素子のなかからいずれか１つを選択して補正量として加算器２０３へ転送する。現マーク長値は、現在記録中のマークの長さを示す信号である。加算器２０３は、ｒＯＰＣ／ＡＰＣ部１０２が出力する記録パワー値ＷＰＡと前記セレクタ１（２０２）が出力する補正量とを加算し、該加算値ＷＰＺは加算器２０３後段の計数器６０１にロードされる。
【００５４】
計数器６０１は、一般的なダウンカウンタ動作を行うものであり、該カウンタへのロード値はＷＰＺである。また、ＷＰＺをロードするタイミングは制御部１００が生成するマーク起動エッジパルス時刻である。なお、このカウンタは１Ｔ時間を１周期とするクロックでカウントダウンされるが、カウント値がＷＰＡ値と一致した時点でカウントダウン動作を停止するものである。
【００５５】
図９にその動作の一例を示す。内部ＥＦＭは制御部１００内部で生成するマーク記録の基準となる信号である。実施の形態１と同様、この例では、Δｔ２、Δｔ３はともに１Ｔ時間（図示せず）としており、基準となる内部ＥＦＭ信号に対し１Ｔ遅れとなる信号をレーザＯＮ期間信号としてレーザピックアップ１０５へ送出している。レーザピックアップ１０５は、該レーザＯＮ期間信号が“Ｈ”の期間は（ＤＡＣ１０３出力のパワー値ＷＰＢ）＋（再生パワーＲＰ）でレーザを駆動し、“Ｌ”の期間は（ＤＡＣ１０４出力のパワー値ＲＰ）でレーザを駆動する。この例では、ｒＯＰＣ／ＡＰＣ部１０２からの記録パワー値ＷＰＡは“３０”とし、再生パワー値ＲＰは変動していない場合とする。実施の形態１と同様、現マーク長値は内部ＥＦＭのマーク開始エッジからΔｔ１手前（図示せず）でホールドされる。この例ではΔｔ１は２Ｔ時間としている。
【００５６】
ここに、記憶素子群２０１内の“３Ｔ”記憶素子には“３”が、“４Ｔ”　記憶素子には“２”が、“５Ｔ”　記憶素子には“１”　が、“６Ｔ”　記憶素子ないし“１１Ｔ”　記憶素子にはすべて“０”が、それぞれ記憶されているものとする。現マーク長値信号が、“３”，“５”であるとき、セレクタ１（２０２）は各々補正量として“３”，“１”を出力する。例えば、３Ｔのマーク起動エッジパルス時点では、ＷＰＡ＋３（補正量）が計数器６０１にロードされる。その後、計数器クロックの立ち上がりに同期して、該計数器６０１はカウントダウンを行う。ここに、該カウンタ値がＷＰＡと一致すると、カウントダウン動作は行わず、次のロードパルス（マーク起動エッジ信号）が発生するまで該カウンタ出力値を維持する。
【００５７】
最終的には、計数器６０１内のカウンタ値ＷＰＢをＤＡＣ１０３へ出力する。該パワー値ＷＰＢは、３Ｔマーク記録時はＷＰＡ＋３からＷＰＡまでカウントダウンされ、５Ｔマーク記録時はＷＰＡ＋１からＷＰＡまでカウントダウンされる。
よって、３Ｔマーク記録中はＲＰ＋ＷＰＡ＋３からＲＰ＋ＷＰＡまで１Ｔおきに減少するパワーでレーザを駆動し、５Ｔマーク記録中はＲＰ＋ＷＰＡ＋１からＲＰ＋ＷＰＡまで１Ｔおきに減少するパワーでレーザを駆動する。
【００５８】
このように、ｒＯＰＣ／ＡＰＣ部によるパワーモニタ、及び時間幅１１Ｔを有するピットからの反射光量によるパワー制御状態において、リアルタイムでマーク長毎に記録パワーを細かく変化させ、特に、３Ｔないし５Ｔなどの比較的短いピットの形成時には、その記録開始時点でパワー補正量を最大にしてパワーを集中強化できるため、高密度・高速記録時にピットを確実に形成するうえで特に有効となる。
【００５９】
（実施の形態４）
図１０は、本発明の実施の形態４の記録パワー制御装置の構成を示すブロック図であり、請求項１３ないし１８の発明に対応するものである。マイコンＩ／Ｆ１０９は外部ＣＰＵと本記録パワー制御装置とを仲介するものである。外部ＣＰＵは、マイコンＩ／Ｆ１０９を介して、記憶素子群２０１内部の９個（“３Ｔ”ないし“１１Ｔ”に対応）の記憶素子に所定の値を設定する。例えば、“３Ｔ”記憶素子には、記録すべきマーク長が３Ｔの時のパワー補正量が外部ＣＰＵから設定される。セレクタ１（２０２）は制御部１００が生成する現マーク長値を選択信号とし、前記記憶素子群２０１の９個の記憶素子から１つを選択して補正量として加算器２０３へ転送する。現マーク長値は、現在記録中のマークの長さを示す信号である。加算器２０３は、ｒＯＰＣ／ＡＰＣ部１０２が出力する記録パワー値ＷＰＡと前記セレクタ１（２０２）が出力する補正量とを加算し、該加算値ＷＰＺは加算器２０３後段の計数器１（８０１）にロードされる。
【００６０】
計数器１（８０１）は、一般的なダウンカウンタ動作を行うものであり、該カウンタへのロード値はＷＰＺである。また、ＷＰＺをロードするタイミングは制御部１００が生成するマーク起動エッジパルス時刻である。該ダウンカウンタは、後述するクロックＷＣＫ８（図１１参照）に同期して、計数器２（８０２）出力のダウンパルスによってカウントダウン動作を行う。なお、該カウンタ値がＷＰＡ値と一致すると、ダウンパルスが発生してもカウントダウンは行わない。
【００６１】
計数器２（８０２）は、同じくダウンカウンタ動作を行うものである。マーク起動エッジパルス時刻においてＬＤＶ（Ｌｏａｄ　Ｖａｌｕｅ）値がロードされる。該ＬＤＶ値は、記憶素子（８０３）に図示しない外部ＣＰＵがそのＩ／Ｆを介して設定した値である。この例では“３”が設定されている。前記計数器２（８０２）は、後述するクロックＷＣＫ８（図１１参照）に同期して動作し、カウント値がゼロになるとダウンパルスを発生させるとともに、計数器２内部カウンタに再度ＬＤＶ値（８０３）をロードする。
【００６２】
図１１にその動作の一例を示す。内部ＥＦＭは制御部１００内部で生成するマーク記録の基準となる信号である。実施の形態１と同様、この例では、Δｔ２、Δｔ３はともに１Ｔ時間（図示せず）としており、基準となる内部ＥＦＭ信号に対し１Ｔ遅れとなる信号をレーザＯＮ期間信号としてレーザピックアップ１０５へ送出している。レーザピックアップ１０５は、該レーザＯＮ期間信号が“Ｈ”の期間は（ＤＡＣ１０３出力のパワー値ＷＰＢ）＋（再生パワー値ＲＰ）でレーザを駆動し、“Ｌ”の期間は（ＤＡＣ１０４出力のパワー値ＲＰ）でレーザを駆動する。この例では、ｒＯＰＣ／ＡＰＣ部１０２からの記録パワー値ＷＰＡは“３０”とし、再生パワー値ＲＰは変動していない場合とする。実施の形態１と同様、現マーク長値は内部ＥＦＭのマーク開始エッジからΔｔ１手前（図示せず）でホールドされる。この例ではΔｔ１は２Ｔ時間としている。
【００６３】
ここに、記憶素子群２０１内の“３Ｔ”記憶素子には“３”が、“４Ｔ”記憶素子には“２”が、“５Ｔ”記憶素子には“１”が、“６Ｔ”記憶素子ないし“１１Ｔ”記憶素子にはすべて“０”が、それぞれ記憶されているものとする。現マーク長値信号が、“３”，“５”であるとき、セレクタ１（２０２）は各々補正量として“３”，“１”を出力する。例えば、３Ｔのマーク起動エッジパルス時点では、ＷＰＡ＋３（補正量）が計数器１（８０１）にロードされる。その後、計数器クロックＷＣＫ８の立ち上がりに同期して、該計数器１（８０１）は計数器２（８０２）からのダウンパルスにてカウントダウンを行う。ここに、該カウンタ値がＷＰＡと一致すると、カウントダウン動作は行わず、次のロードパルス（マーク起動エッジ信号）が発生するまで該カウンタ出力値を維持する。
【００６４】
また、ダウンパルスは、マーク起動エッジにて“３”をロードされた計数器２（８０２）が、ＷＣＫ８の立ち上がり毎に“−１”ずつカウントダウンされてカウント値がゼロになった時点でＷＣＫ８の１周期期間パルスとして発行される。ただし、このパルスは、前記レーザＯＮ期間信号が“Ｈ”期間のみ、発行される。
【００６５】
なお、この例では、ＷＣＫ１周期は１Ｔ期間に相当し、クロックＷＣＫ８は、ＷＣＫの８逓倍クロックであり、ＷＣＫとＷＣＫ８の立ち上がりエッジは同時刻としている。計数器１（８０１）、計数器２（８０２）ともに、クロックＷＣＫ８に同期して動作している。
【００６６】
最終的には、計数器１（８０１）内のカウンタ値ＷＰＢをＤＡＣ１０３へ出力する。該パワー値ＷＰＢは、３Ｔマーク記録時はＷＰＡ＋３からＷＰＡまでクロックＷＣＫ８の４クロック時間で“−１”ずつカウントダウンされ、５Ｔマーク記録時はＷＰＡ＋１からＷＰＡまでＷＣＫ８の４クロック時間で“−１”ずつカウントダウンされる。
【００６７】
よって、３Ｔマーク記録中はＲＰ＋ＷＰＡ＋３からＲＰ＋ＷＰＡまでクロックＷＣＫ８の４クロック時間で“−１”ずつカウントダウンされ、その後記録終了までＲＰ＋ＷＰＡのままのパワーでレーザを駆動する。また、５Ｔマーク記録中はＲＰ＋ＷＰＡ＋１からＲＰ＋ＷＰＡまでＷＣＫ８の４クロック時間で“−１”ずつカウントダウンされ、その後記録終了までＲＰ＋ＷＰＡのままのパワーでレーザを駆動する。
【００６８】
このように、ｒＯＰＣ／ＡＰＣ部によるパワーモニタ、及び時間幅１１Ｔを有するピットからの反射光量によるパワー制御状態において、リアルタイムでマーク長毎に記録パワーを細かく変化させ、特に、３Ｔないし５Ｔなどの比較的短いピットの形成時には、その記録開始時点にパワーを集中強化できるため、高密度・高速記録時にピットを確実に形成するうえで特に有効となる。
【００６９】
なお、上記各実施の形態では、制御部、ｒＯＰＣ／ＡＰＣ部、演算部はハードウエアによるものとしたが、これらと等価な機能を光ディスク記録パワー制御装置内のＣＰＵにより実現してもよい。この場合、上記制御部、ｒＯＰＣ／ＡＰＣ部、演算部の動作に対応する光ディスク記録パワー制御方法（請求項１９，２０の発明に対応）をソフトウエアにより実現すればよく、このソフトウエアは、ＲＯＭ等のプログラム記録媒体（請求項２１の発明に対応）により実装すればよい。
【００７０】
また、上記実施の形態１ないし４では第２の強度のレーザ光として、ピットを再生する強度としたが、これは光ディスクが書き換え可能なものの場合は、ピットを消去できる強度としてもよい。
【００７１】
【発明の効果】
以上のように、本発明の請求項１に係る光ディスク記録パワー制御装置によれば、トラック溝上に形成されたピットの有無によりデータを記録する光ディスクに、記録データに基づいて、ピットを形成する強度の第１のレーザ光を、あるいはピットを形成しない強度もしくはピットを消去する強度の第２のレーザ光とを照射することにより、該記録データを上記光ディスクに記録する光ディスク装置における光ディスク記録パワー制御装置において、補正量を用いてレーザ光の駆動量に対する補正演算を行う補正演算部を備えるようにしたので、記録系光ディスクへのデータ記録時に照射するマーク部分へのライト用レーザパワーが細かく制御可能となり、特に短いピット長（短いマーク長）のピットの記録において、ピットのマークエッジ部分付近が正常に形成可能となり、高密度・高速記録を高精度に行うことができる効果がある。
【００７２】
また、本発明の請求項２に係る光ディスク記録パワー制御装置によれば、請求項１に記載の光ディスク記録パワー制御装置において、上記補正演算部にて演算されるレーザ光駆動量は、前記第１、かつ／または、第２のレーザ光の駆動量であるようにしたので、第１、かつ／または、第２のレーザ光の駆動量を補正することにより、記録系光ディスクへのデータ記録時に照射するマーク部分へのライト用レーザパワーが細かく制御可能となり、特に短いピット長（短いマーク長）のピットの記録において、ピットのマークエッジ部分付近が正常に形成可能となり、高密度・高速記録を高精度に行うことができる効果がある。
【００７３】
また、本発明の請求項３に係る光ディスク記録パワー制御装置によれば、請求項１または２に記載の光ディスク記録パワー制御装置において、前記補正演算部は、前記補正量を記憶する複数の記憶素子と、前記複数の記憶素子の中から１つを選択するセレクタと、該セレクタが出力する補正量と入力レーザ光駆動量とを加算してその加算結果をレーザ光駆動量として出力する加算器とを有するようにしたので、記録系光ディスクへのデータ記録時に照射するマーク部分へのライト用レーザパワーを細かく制御可能となり、特に短いピット長（短いマーク長）のピットの記録において、ピットのマークエッジ部分付近が正常に形成可能となり、高密度・高速記録を高精度に行うことが、簡単な構成の演算部により可能となる効果がある。
【００７４】
また、本発明の請求項４に係る光ディスク記録パワー制御装置によれば、請求項３の記載の光ディスク記録パワー制御装置において、前記複数の記憶素子は、上記各ピット長毎の補正量を格納し、前記セレクタは、現在記録中のピットのピット長に基づいて前記複数の記憶素子を選択するようにしたので、記録系光ディスクへのデータ記録時に照射するマーク部分へのライト用レーザパワーを細かく制御可能となり、特に短いピット長（短いマーク長）のピットの記録において、大きい補正量を選択するように補正量を設定しておくことにより、短いピット長のピットであってもマークエッジ部分付近が正常に形成可能となり、高密度・高速記録を高精度に行うことが、簡単な構成の演算部により可能となる効果がある。
【００７５】
また、本発明の請求項５に係る光ディスク記録パワー制御装置によれば、請求項１または２に記載の光ディスク記録パワー制御装置において、前記補正演算部は、前記レーザ光駆動量を補正するための第１の補正量を記憶した第１の複数の記憶素子と、前記第１の補正量を選択するための第１の選択信号により前記第１の複数の記憶素子の中から１つを選択する第１のセレクタと、前記レーザ光駆動量を補正するための第２の補正量を記憶した第２の複数の記憶素子と、前記第２の補正量を選択するための第２の選択信号により前記複数の記憶素子の中から１つを選択する第２のセレクタと、前記第１、第２のセレクタが出力する各第１、第２の補正量と、入力レーザ光駆動量とを加算してレーザ光駆動量を補正する加算器とを有するようにしたので、記録系光ディスクへのデータ記録時に照射するマーク部分へのライト用レーザパワーをより細かく制御可能となるため、特に短いピット長（短いマーク長）のピットの記録において、ピットのマークエッジ部分付近が正常に形成可能となり、高密度・高速記録を高精度に行うことが、第１，第２の補正量を用いて補正を行う簡単な構成の演算部により可能となる効果がある。
【００７６】
また、本発明の請求項６に係る光ディスク記録パワー制御装置によれば、請求項５に記載の光ディスク記録パワー制御装置において、前記第１の複数の記憶素子は各ピット長毎の補正量を格納し、前記第１のセレクタは現在記録中のピットのピット長に基づいて、前記第１の複数の記憶素子の出力を選択し、前記第２の複数の記憶素子は各スペース長毎の補正量を格納し、前記第２のセレクタは現在記録中のピットの前のスペース長に基づいて、前記第２の複数の記憶素子の出力を選択するようにしたので、記録系光ディスクへのデータ記録時に照射するマーク部分へのライト用レーザパワーをより細かく制御可能となり、特に短いピット長（短いマーク長）のピットの記録において、ピットのマークエッジ部分付近が正常に形成可能となり、高密度・高速記録を高精度に行うことが、第１，第２の補正量を用いて補正を行う簡単な構成の演算部により可能となる効果がある。
【００７７】
また、本発明の請求項７に係る光ディスク記録パワー制御装置によれば、請求項５に記載の光ディスク記録パワー制御装置において、前記第１の複数の記憶素子は各ピットのピット長毎の補正量を格納し、前記第１のセレクタは現在記録中のピットのピット長に基づいて、前記第１の複数の記憶素子の出力を選択し、前記第２の複数の記憶素子は各スペース長毎の補正量を格納し、前記第２のセレクタは現在記録中のピットの後のスペース長に基づいて、前記第２の複数の記憶素子の出力を選択するようにしたので、記録系光ディスクへのデータ記録時に照射するマーク部分へのライト用レーザパワーをより細かく制御可能となり、特に短いピット長（短いマーク長）のピットの記録において、ピットのマークエッジ部分付近が正常に形成可能となり、高密度・高速記録を高精度に行うことが、第１，第２の補正量を用いて補正を行う簡単な構成の演算部により可能となる効果がある。
【００７８】
また、本発明の請求項８に係る光ディスク記録パワー制御装置によれば、請求項５に記載の光ディスク記録パワー制御装置において、前記第１の複数の記憶素子は、各ピットのピット長毎の補正量を格納し、前記第１のセレクタは、現在記録中のピットのピット長に基づいて、前記選択を行い、前記第２の複数の記憶素子は、第１群および第２群の複数の記憶素子からなり、該第１群および第２群の複数の記憶素子はそれぞれ各スペース長毎の補正量を格納し、前記第２のセレクタは、前記第１群の記憶素子用セレクタおよび第２群の記憶素子用セレクタからなり、該第１群の記憶素子用のセレクタは現在記録中のピットの前のスペース長に基づいて、前記第１群の記憶素子の出力を選択し、該第２群の記憶素子用のセレクタは現在記録中のピットの後のスペース長に基づいて、前記第２群の記憶素子の出力を選択し、前記加算器は、前記第１のセレクタが出力する第１の補正量と、前記第１群の記憶素子用セレクタ、および第２群の記憶素子用セレクタが出力する２つの第２の補正量と、入力レーザ光駆動量とを加算して、補正後のレーザ光駆動量を出力するようにしたので、記録系光ディスクへのデータ記録時に照射するマーク部分へのライト用レーザパワーをより細かく制御可能となり、特に短いピット長（短いマーク長）のピットの記録において、ピットのマークエッジ部分付近が正常に形成可能となり、高密度・高速記録をさらに高精度に行うことがことが、第１，第２の補正量を用いて補正を行う簡単な構成の演算部により可能となる効果がある。
【００７９】
また、本発明の請求項９に係る光ディスク記録パワー制御装置によれば、請求項１ないし８のいずれかに記載の光ディスク記録パワー制御装置において、該演算部の出力値を初期値として計数し、該計数値を新たなレーザ光駆動量として出力する計数器をさらに備えるようにしたので、計数器をダウンカウンタとすることにより、記録系光ディスクへのデータ記録時に照射するマーク部分へのライト用レーザパワーをより細かく制御可能となるため、特に短いピット長（短いマーク長）のピットの記録において、ピットのマーク開始エッジ部分付近でレーザーパワーを増大してピットが正常に形成可能となり、高密度・高速記録をさらに高精度に行うことが、第１，第２の補正量を用いて補正を行う簡単な構成の演算部により可能となる効果がある。
【００８０】
また、本発明の請求項１０に係る光ディスク記録パワー制御装置によれば、請求項９に記載の光ディスク記録パワー制御装置において、前記計数器は、ピット記録期間の開始時刻をその初期値設定時期およびカウント動作開始時期とするようにしたので、記録系光ディスクへのデータ記録時に照射するマーク部分へのライト用レーザパワーをより細かく制御可能となるため、特に短いピット長（短いマーク長）のピットの記録において、ピットのマーク開始エッジ部分付近でレーザーパワーを増大してピットが正常に形成可能となり、高密度・高速記録をさらに高精度に行うことができる効果がある。
【００８１】
また、本発明の請求項１１に係る光ディスク記録パワー制御装置によれば、請求項９または１０に記載の光ディスク記録パワー制御装置において、前記計数器は、記録単位（１Ｔ）ピット期間を１周期とするクロックにて所定数だけカウントダウンするようにしたので、記録系光ディスクへのデータ記録時に照射するマーク部分へのライト用レーザパワーをより細かく制御可能となるため、特に短いピット長（短いマーク長）のピットの記録において、ピットのマーク開始エッジ部分付近でレーザーパワーを増大してピットが正常に形成可能となり、高密度・高速記録をさらに高精度に行うことができる効果がある。
【００８２】
また、本発明の請求項１２に係る光ディスク記録パワー制御装置によれば、請求項９ないし１１のいずれかに記載の光ディスク記録パワー制御装置において、前記計数器は、現在のピット記録期間中に、カウントされた計数器の値が、入力されるレーザ光駆動量と一致した時点でカウント動作を中止するようにしたので、記録系光ディスクへのデータ記録時に照射するマーク部分へのライト用レーザパワーをより細かく制御可能となり、特に短いピット長（短いマーク長）のピットの記録において、ピットのマーク開始エッジ部分付近でレーザーパワーを増大してピットが正常に形成可能となり、高密度・高速記録をさらに高精度に行うことができる効果がある。
【００８３】
また、本発明の請求項１３に係る光ディスク記録パワー制御装置によれば、請求項９ないし１２のいずれかに記載の光ディスク記録パワー制御装置において、前記計数器がカウントを行うためのパルス信号を生成出力する第２の計数器を備えるようにしたので、第２の計数器がダウンカウント用のパルス信号を発生することにより、記録系光ディスクへのデータ記録時に照射するマーク部分へのライト用レーザパワーをより細かく制御可能となり、特に短いピット長（短いマーク長）のピットの記録において、ピットのマーク開始エッジ部分付近でレーザーパワーを増大してピットが正常に形成可能となり、高密度・高速記録をさらに高精度に行うことができる効果がある。
【００８４】
また、本発明の請求項１４に係る光ディスク記録パワー制御装置によれば、請求項１３に記載の記録パワー制御装置において、前記第２の計数器は、ピット記録期間の開始時刻にその初期値の設定が行われるようにしたので、記録系光ディスクへのデータ記録時に照射するマーク部分へのライト用レーザパワーをより細かく制御可能となり、特に短いピット長（短いマーク長）のピットの記録において、ピットのマーク開始エッジ部分付近でレーザーパワーを増大してピットが正常に形成可能となり、高密度・高速記録をさらに高精度に行うことができる効果がある。
【００８５】
また、本発明の請求項１５に係る光ディスク記録パワー制御装置によれば、請求項１３または１４に記載の光ディスク記録パワー制御装置において、前記第２の計数器は、所定クロックにてカウントダウンを行うようにしたので、第２の計数器がダウンカウント用のパルス信号を発生することにより、記録系光ディスクへのデータ記録時に照射するマーク部分へのライト用レーザパワーをより細かく制御可能となり、特に短いピット長（短いマーク長）のピットの記録において、ピットのマーク開始エッジ部分付近でレーザーパワーを増大してピットが正常に形成可能となり、高密度・高速記録をさらに高精度に行うことができる効果がある。
【００８６】
また、本発明の請求項１６に係る光ディスク記録パワー制御装置によれば、請求項１５に記載の光ディスク記録パワー制御装置において、前記第２の計数器は、カウント値がゼロのとき、前記第１の計数器がカウントを行うためのパルスを発生するようにしたので、第２の計数器がカウント終了時に計数器のダウンカウント用のパルス信号を発生することにより、記録系光ディスクへのデータ記録時に照射するマーク部分へのライト用レーザパワーをより細かく制御可能となり、特に短いピット長（短いマーク長）のピットの記録において、ピットのマーク開始エッジ部分付近でレーザーパワーを増大してピットが正常に形成可能となり、高密度・高速記録をさらに高精度に行うことができる効果がある。
【００８７】
また、本発明の請求項１７に係る光ディスク記録パワー制御装置によれば、請求項１３ないし１６のいずれかに記載の光ディスク記録パワー制御装置において、前記第２の計数器への初期値を保持可能な記憶素子を備えるようにしたので、第２の計数器がカウント終了時毎に計数器のダウンカウント用のパルス信号を発生することにより、記録系光ディスクへのデータ記録時に照射するマーク部分へのライト用レーザパワーをより細かく制御可能となるため、特に短いピット長（短いマーク長）のピットの記録において、ピットのマーク開始エッジ部分付近でレーザーパワーを増大してピットが正常に形成可能となり、高密度・高速記録をさらに高精度に行うことができる効果がある。
【００８８】
また、本発明の請求項１８に係る光ディスク記録パワー制御装置によれば、請求項１ないし１７のいずれかに記載の光ディスク記録パワー制御装置において、前記記憶素子への各補正量、かつ／または、前記第２の計数器への初期値設定値、を外部から書き換え／読み出し可能なインタフェース部を備えるようにしたので、初期値が設定可能な第２の計数器がカウント終了時毎に計数器のダウンカウント用のパルス信号を発生することにより、記録系光ディスクへのデータ記録時に照射するマーク部分へのライト用レーザパワーをより細かく制御可能となるため、特に短いピット長（短いマーク長）のピットの記録において、ピットのマーク開始エッジ部分付近でレーザーパワーを増大してピットが正常に形成可能となり、高密度・高速記録をさらに高精度に行うことができる効果がある。
【００８９】
また、本発明の請求項１９に係る光ディスク記録パワー制御方法によれば、トラック溝上に形成されたピットの有無によりデータを記録する光ディスクに、記録データに基づいて、ピットを形成する強度の第１のレーザ光と、ピットを形成しない強度もしくはピットを消去する強度の第２のレーザ光とを照射することにより、該記録データを上記光ディスクに記録する光ディスク装置に使用される光ディスク記録パワー制御方法であって、前記第１のレーザ光を照射する際に、補正量を用いてレーザ光の駆動量に対する補正演算を行うようにしたので、記録系光ディスクへのデータ記録時に照射するマーク部分へのライト用レーザパワーを細かく制御可能となるため、特に短いピット長（短いマーク長）のピットの記録において、ピットのマークエッジ部分付近が正常に形成可能となり、高密度・高速記録を高精度に行うことができる効果がある。
【００９０】
また、本発明の請求項２０に係る光ディスク記録パワー制御方法によれば、請求項１９記載の光ディスク記録パワー制御方法において、前記演算工程は、ピット長の短いピットに対しレーザ光の駆動量を増すように補正を行うようにしたので、記録系光ディスクへのデータ記録時に照射するマーク部分へのライト用レーザパワーを細かく制御可能となるため、特に短いピット長（短いマーク長）のピットの記録において、ピットのマークエッジ部分付近が正常に形成可能となり、高密度・高速記録を高精度に行うことができる効果がある。
【００９１】
また、本発明の請求項２１に係る光ディスク記録パワー制御プログラム記録媒体によれば、トラック溝上に形成されたピットの有無によりデータを記録する光ディスクに、記録データに基づいて、ピットを形成する強度の第１のレーザ光と、ピットを形成しない強度もしくはピットを消去する強度の第２のレーザ光とを照射することにより、該記録データを上記光ディスクに記録する光ディスク装置に使用される光ディスク記録パワー制御プログラム記録媒体であって、コンピュータに、上記第１のレーザ光を照射する際に、ピット長の短いピットに対しレーザ光の駆動量を増すように、補正量を用いてレーザ光の駆動量に対する補正演算を行う演算工程を含む光ディスク記録パワー制御方法を実行させるためのプログラムを記録するようにしたので、記録系光ディスクへのデータ記録時に照射するマーク部分へのライト用レーザパワーを細かく制御可能となるため、特に短いピット長（短いマーク長）のピットの記録において、ピットのマークエッジ部分付近が正常に形成可能となり、高密度・高速記録を高精度に行うことができる効果がある。
【図面の簡単な説明】
【図１】本発明の実施の形態における光ディスク記録装置の構成を示すブロック図
【図２】本発明の実施の形態１における記録パワー制御の構成を示すブロック図
【図３】本発明の実施の形態１における記録パワーの制御動作を示す図
【図４】本発明の実施の形態２における記録パワー制御の構成を示すブロック図
【図５】本発明の実施の形態２における記録パワーの制御動作を示す図
【図６】本発明の実施の形態２の変形例を示すブロック図
【図７】本発明の実施の形態２の他の変形例を示すブロック図
【図８】本発明の実施の形態３における記録パワー制御の構成を示すブロック図
【図９】本発明の実施の形態３における記録パワーの制御動作を示す図
【図１０】本発明の実施の形態４における記録パワー制御の構成を示すブロック図
【図１１】本発明の実施の形態４における記録パワーの制御動作を示す図
【図１２】従来の光ディスク記録装置を説明するためのブロック図
【図１３】従来の記録パワーの制御動作を示す図
【符号の説明】
１００　制御部
１０１　ＡＤ変換部
１０２　ｒＯＰＣ／ＡＰＣ部
１０３　ＤＡＣ
１０４　ＤＡＣ
１０５　レーザピックアップ
１０６　受光部
１０７　記録系光ディスク
１０９　マイコンＩ／Ｆ
１１０　演算部
２０１　記憶素子群
２０２　セレクタ１
２０３　加算器
４０１，４０１ａ，４０１ｂ　セレクタ２
４０２，４０２ａ，４０２ｂ　記憶素子群
４０３　加算器
６０１　計数器
８０１　計数器１
８０２　計数器２
８０３　記憶素子
【図１】
2004062919.tif 000003
【図２】
2004062919.tif 000004
【図３】
2004062919.tif 000005
【図４】
2004062919.tif 000006
【図５】
2004062919.tif 000007
【図６】
2004062919.tif 000008
【図７】
2004062919.tif 000009
【図８】
2004062919.tif 000010
【図９】
2004062919.tif 000011
【図１０】
2004062919.tif 000012
【図１１】
2004062919.tif 000013
【図１２】
2004062919.tif 000014
【図１３】
2004062919.tif 000015